(57)【要約】【課題】  管楽器内の水分除去のためのクリーニング作業を、管楽器自体を傾倒するだけの簡単な作業により、管壁の水分が吸収でき、且つ唾液などを含んだ水分であっても十分に吸収できる管楽器用のクリーニング具およびそれを用いたクリーニング方法を提供する。【解決手段】クリーニング具は、その側面が吸水性能を有する棒状の塊状体であり、円筒状の塊状体を、管楽器の開口している管口から挿入し、管楽器を傾倒させることにより塊状体を前記管内を移動させ、吸水性能を有する側面により管内に付着した水分を除去するように構成したことを特徴とする管楽器用のクリーニング具である。【選択図】  図１
2019020639.tif 000002
【特許請求の範囲】
【請求項１】
管楽器の管内を清掃するための管楽器用のクリーニング具であって、
前記クリーニング具は、その側面が吸水性能を有する棒状の塊状体であり、
前記円筒状の塊状体を、前記管楽器の開口している管口から挿入し、前記管楽器を傾倒させることにより前記塊状体を前記管内を移動させ、前記吸水性能を有する側面により前記管内に付着した水分を除去するように構成したことを特徴とする管楽器用のクリーニング具。
【請求項２】
前記側面が吸水性能を有する棒状の塊状体が、吸水性樹脂を含有する吸水シートで被覆された棒状の塊状体であることを特徴とする請求項１記載の管楽器用のクリーニング具。
【請求項３】
請求項２記載の吸水シートが巻かれた棒状の塊状体がさらに不織布で包まれてなることを特徴とする管楽器用のクリーニング具。
【請求項４】
請求項２または３記載の吸水性樹脂の水可溶性成分が重量で５％以下であることを特徴とする管楽器用のクリーニング具。
【請求項５】
請求項１〜４のいずれか１項に記載の管楽器用のクリーニング具を前記管楽器の開口している管口から挿入し、前記管楽器を傾倒させることにより前記クリーニング具を前記管内を移動させ、前記管内に付着した水分を除去する管楽器のクリーニング方法。
【発明の詳細な説明】
【技術分野】
【０００１】
本発明は、フルートなどの管楽器用のクリーニング具およびそれを用いたクリーニング方法に関する。詳しくは、円柱状の塊状体の側面が吸水性能を有する管楽器用のクリーニング具およびそれを用いたクリーニング方法に関するものである。
【背景技術】
【０００２】
従来、例えばフルートなどの管楽器の内部には演奏中に口からの吐息や場合によっては唾液が放出され、これらの水分が管壁に付着したり、底部に溜まったりする。これが原因で音質に悪影響を与えたり、演奏自体の品質を低下させるという問題がある。そのため、演奏後にはもちろん演奏中においても、しばしば管楽器の管内をクリーニングして付着した水分を除去する必要があった。
【０００３】
そのクリーニング方法として、たとえば、管楽器の管内を清掃するための管楽器用掃除具であって、支持棒が挿入される筒状の挿入部と、前記挿入部から外周方向に延設され、その先端が前記管内の内周面に接触する接触部とを有する布状の清掃布からなり、前記清掃布の前記挿入部長手方向先端部には、前記接触部と略直角な前記管内の端部を清掃する清掃端を有する構成とした管楽器用掃除具（たとえば、特許文献１）が開示されている。
【０００４】
また、使いやすいクリーニング具として、前記管楽器の管内を移動可能な円柱状の塊状体と、この塊状体の端面部に配置されるとともに前記塊状体と同径又は大径で前記管の内面に摺接可能に形成した吸水性を有する円板状の接触部材と、を有し、前記接触部材を配置した塊状体を、前記管楽器の開口している管口から挿入し、前記管楽器を傾倒させることで前記塊状体を接触部材とともに前記管内を移動させ、前記接触部材により前記管内に付着した水分を除去するように構成した管楽器用のクリーニング具（たとえば、特許文献２）が提案されている。
【先行技術文献】
【特許文献】
【０００５】
【特許文献１】登録実用新案第３１５８４５７号公報
【特許文献２】実用新案登録第３２０４５４６号公報
【発明の概要】
【発明が解決しようとする課題】
【０００６】
しかしながら、前者の管楽器用掃除具の場合、支持棒が挿入される筒状の挿入部と、前記挿入部から外周方向に延設され、その先端が前記管内の内周面に接触する接触部とを有するとともに、その先端部に管内の端部を清掃する清掃端を設けた布状の清掃布とを備える長さ寸法が大きく複雑な構成であり、かつ、奏者による支持棒の操作が必須となり、操作が煩雑であるという問題がある。
後者のクリーニング具の場合、塊状体の端面部に配置された円盤状の接触部材が管内を移動しても管壁にある水分が十分に吸収できず、また底に溜まった唾液を含む水分が多量にあると十分に吸収することができないという問題がある。
【０００７】
本発明の目的は、管楽器内の水分除去のためのクリーニング作業を、管楽器自体を傾倒するだけの簡単な作業により、管壁の水分が吸収でき、且つ唾液などを含んだ水分であっても十分に吸収できる管楽器用のクリーニング具およびそれを用いたクリーニング方法を提供することを目的とする。
【課題を解決するための手段】
【０００８】
本発明者らは、上記の課題に鑑み、鋭意研究の結果、管楽器の管内に挿入する棒状の塊状体の外周面に吸水性能をもたせると、驚くべきことにクリーニング具の吸収能力は向上し、管壁の水分もよく吸収されることを見出し、本発明を完成するに至った。
【０００９】
すなわち、本発明は、管楽器の管内を清掃するための管楽器用のクリーニング具であって、
前記クリーニング具は、その側面が吸水性能を有する棒状の塊状体であり、
前記棒状の塊状体を、前記管楽器の開口している管口から挿入し、前記管楽器を傾倒させることにより前記塊状体を前記管内を移動させ、前記吸水性能を有する側面により前記管内に付着した水分を除去するように構成したことを特徴とする管楽器用のクリーニング具である。
【００１０】
さらに本発明は、上記の側面が吸水性能を有する棒状の塊状体が、吸水性樹脂を含有する吸水シートで被覆された棒状の塊状体であることを特徴とする。
【００１１】
さらに本発明は、上記の吸水シートが巻かれた塊状体がさらに不織布で包まれてなることを特徴とする。
【００１２】
さらに本発明は、上記の吸水性樹脂の水可溶性成分が重量で５％以下であることを特徴とする。
【００１３】
また本発明は、上記の管楽器用のクリーニング具を前記管楽器の開口している管口から挿入し、この管楽器を傾倒させることによりクリーニング具を管内を移動させ、管内に付着した水分を除去する管楽器のクリーニング方法である。
【発明の効果】
【００１４】
本発明によれば、管楽器内の水分除去のためのクリーニング作業を、管楽器自体を傾倒するだけの簡単な作業により、棒状の塊状体の側面により管壁の水分が吸収でき、且つ唾液などを含んだ水分であっても十分に吸収できる管楽器用のクリーニング具を提供することができる。
【００１５】
本発明によれば、吸水性能を有する棒状の塊状体の側面が吸水性樹脂を有する吸水シートで巻かれているので、吸収シートがいっそう多量の水分を吸収することができる。
【００１６】
本発明によれば、吸水シートが巻かれた塊状体がさらに不織布で包まれているので、吸水シートの中の吸水性樹脂が吸水膨潤してゲルとなり、そのゲルが吸水シートからはみ出ても、不織布により抑えられクリーニング具の外にゲルが出ることがなく、その結果ゲルの管内への付着によるトラブルのおそれがない。
【００１７】
本発明によれば、吸水性樹脂の水可溶性成分が重量で５％以下であるので、吸水性樹脂が吸水してもヌメリが発生しにくく、そのため管壁がべたつかず、クリーニング性が良好である。
【００１８】
本発明によれば、上記の管楽器用のクリーニング具を管楽器の開口している管口から挿入し、管楽器を傾倒させることによりクリーニング具を管内を移動させ、管内に付着した水分を除去する方法であるので、簡単な方法で管壁の水分を十分に吸収し、管内をクリーニングすることができる。
【図面の簡単な説明】
【００１９】
【図１】図１（ａ）は、本発明における樹脂製の塊状体である円柱の斜視図である。図１（ｂ）は、その円柱の外周面を吸水シートで１回覆った塊状体を示す斜視図である。図１（ｃ）は、図１（ｂ）においてＸ−Ｙ軸で円柱を垂直に切断したときの断面図である。図１（ｄ）は、図１（ｂ）においてＸ’− Ｙ’軸で円柱を水平に切断したときの断面図である。
【図２】図２（ａ）は、本発明のクリーニング具の別の態様を示す斜視図である。図２（ｂ）は、図２（ａ）においてＸ−Ｙ軸で円柱を垂直に切断したときの断面図である。図２（ｃ）は、図２（ａ）においてＸ’− Ｙ’軸で円柱を水平に切断したときの断面図である。
【図３】本発明のクリーニング具の使用方法を説明する管楽器としてのフルートの斜視図である。上はクリーニングを挿入するために管口を上にしたときを示し、下はクリーニングを取り出すために管口を下にしたときを示す斜視図である。
【発明を実施するための形態】
【００２０】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００２１】
本発明の管楽器用のクリーニング具は、その側面が吸水性能を有する棒状の塊状体である。棒状の側面が吸水性能を有すれば構造は特に限定はなく、吸水性能を有する吸水膨潤性ウレタン樹脂や、タンポンなどのバルキーな綿などのように全体が吸水性能を有する塊状体であっても、棒の外周面に吸水シートを巻いたような側面の外側のみが吸水性能を有する塊状体であってもよい。好ましいのは側面のみが吸水性能を有する塊状体であり、吸水性能を制御しやすく経済的である。
【００２２】
本実施例に係る管楽器用のクリーニング具の一つの実施態様は、管楽器の管内を移動可能な棒状の塊状体と、この塊状体の外周面に巻かれた吸水シートから構成される。
【００２３】
本発明で用いられる塊状体は、管楽器の管内を移動可能であれば材質は特に限定はないが、移動させたときに管壁を痛めないもの、大きな音を出しにくいものが好ましい。たとえば、アルミなどの金属製、アクリル、エポキシ、ウレタンなどの樹脂製、木製、紙性などが挙げられる。これらの内で樹脂製が経済面、使用面で好ましい。
【００２４】
塊状体の形状は、棒状であれば限定はなく、直方体や円柱やその変形体であってもよく、管楽器の管内を移動可能な棒状であれば限定はない。棒状の径は管の内径よりも小さい外形のものが好ましい。また筒状であってもよい。塊状体の寸法例としては、たとえば長さ２０〜６０ｍｍ、直径１０〜２０ｍｍを挙げることができる。フルートなどの管楽器の種類に応じて自在にその長さ、直径を決めるのが好ましい。また、棒状の塊状体の少なくとも一方の端に紐をつけておけば、管楽器の管内に入れた後紐を引っ張れば管内から取り出すことができる。
【００２５】
この塊状体の外周面に巻かれた吸水シートは、吸水シートの中に有機系または無機系の吸水性物質を含有するのが好ましい。これらの内で有機系の吸水性物質としては吸水性樹脂が好ましい。吸水性樹脂以外の吸水性物質としては、後述する吸水・保水材が使用できる。
吸水性樹脂としては、天然系でも合成系でも特に限定はないが、安価で、安全性、耐久性、吸水倍率や吸水速度などの吸水特性に優れ、かつ、腐敗の心配の無いものが好ましい。
【００２６】
このようなものとして特に合成系の吸水性樹脂が挙げられ、吸水・膨潤するものであれば特に限定されるものではないが、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、保水性、安全性や経済性などが特に良好であるため好ましい。
【００２７】
これらの吸水性樹脂は、単独で用いてもよく、また、二種類以上を適宜混合して用いてもよい。上記吸水性樹脂は、所定形状に造粒されていてもよく、また、不定形破砕状、球状、鱗片状、繊維状、棒状、塊状、粉末状など、種々の形状であってもよいが、吸水性能を向上させるために、粉末状であることがより好ましい。
【００２８】
粒子の平均粒子径について特に限定はないが、好ましくは３０〜８５０μｍであり、より好ましくは６０〜４００μｍである。３０μｍより大きいと吸水性樹脂の粉末がブロッキングしてままことならず取り扱いやすい。８５０μｍより小さいと吸水シートとしたときの吸水速度が良好である。粒度分布は特に限定はないが、好ましくは３０〜８５０μｍの範囲の粒子が９５質量％以上になるような粒度分布である。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、通常の篩振とう法が適用できる。
【００２９】
上記吸水性樹脂の吸水倍率は重量で１００〜１０００倍であるのが好ましい。吸水倍率は下記の方法で測定できる。
＜吸水性樹脂の吸水倍率の測定法＞
ナイロン製の網袋（２５０メッシュ）に吸水性樹脂の試料（サンプル量；Ｘｇ）を入れ、これを袋ごと過剰の水に浸す。浸漬６０分後に袋ごと空中に引き上げ、静置して１５分間水切りした後、質量（Ｙｇ）を測定して下式より吸水倍率を求める。［網袋のみを用いて上記と同様の操作を行い、この分の質量（Ｚｇ）をブランクとして差し引く。］
吸水倍率＝（Ｙ−Ｚ）／Ｘ
【００３０】
また、吸水性樹脂の吸水速度は、好ましくは５〜２００秒であり、より好ましくは５〜１００秒である。吸水速度が５秒以上であると、空気中の湿度の影響で吸水性樹脂同士のブロッキングなどが生じにくくなり、使う前に「ままこ」がないので使いやすい。吸水速度が２００秒以下であると、管楽器の管内の水分を十分速く吸収することができる。
【００３１】
吸水性樹脂の吸水速度は下記の方法で測定できる。
＜吸水性樹脂の吸水速度の測定法＞
１．１００ｍＬのガラスビーカーに水道水を５０ｍＬ入れ、マグネットスターラー〔直径（中央部８ｍｍ、両端７ｍｍ）、長さ３０ｍｍのフッ素樹脂コーテイングされたもの〕を用いて６００ｒｐｍで攪拌する。
２．試料２．００ｇの試験サンプルを渦中に一度に投入し、投入した時から渦が消えて液面が水平になった時点までの時間（秒）を測定し、吸水速度とする。
【００３２】
また、吸水性樹脂としては、低分子の水可溶性成分、たとえば、アクリル酸のオリゴマーなどの低分子などは少ない方が好ましい。この可溶性成分は手で触ったときにヌメリとなる。水可溶性成分は重量で５％以下が好ましい。吸水性樹脂中の水可溶性成分が重量で５％以下であると多量の水分を吸収してもヌメリが少なく管楽器の管内をべた付かせる可能性がなく、クリーニング具が管内を移動しやすい。水可溶性成分は１％以下が特に好ましい。
水可溶性成分の測定法は、特開２００５−４４５公報などに記載された重量測定法や電滴法などの方法で測定できる。
【００３３】
上記の吸水性樹脂は、フルートなどの管楽器の管内の水分と接触することにより、多量の水分をすばやく吸収することができる。また、吸水性樹脂は吸放湿効果を有する。管内の水分を気体の状態で吸収したり放出したりするので、管内の水分濃度が高ければ接触せずとも水分を吸収することができる。吸水性樹脂は、フルートなどの管楽器の管内の水分除去に適した素材である。
【００３４】
本発明における一形態である塊状体を被覆する吸水シートは、上記の吸水性樹脂と共に、水不溶性吸水・保水材を同時に含ませてもよい。水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。
【００３５】
吸水シートの構成として好ましいものは、布（特に好ましくは不織布）、紙などの通水性基材の片面または両面に粘着剤やバインダー樹脂を用いて吸水性樹脂粉末を固定化したものであり、特に好ましいものは、紙や不織布などの通水性基材でサンドイッチ状に挟んだ後、エンボス加工法、ニードルパンチ法で吸水性樹脂を一体化したもの；プラスチックフィルムの片面に粘着剤やバインダー樹脂を用いて吸水性樹脂粉末水を固定させ、そのまままたは片面に上記通水性基材を被せたもの、たとえば、セロハンやビニールの粘着テープを用いて、粘着面に吸水性樹脂粉末を散布しそのまままたは不織布などの通水性基材を被せて圧着ロールで固定したものなどが挙げられる。これらの吸水シートは、吸水性樹脂粉末の吸水による膨潤を妨げにくいため、管内の水分を吸収することができる。特に好ましいものは、エンボス加工法で吸水性樹脂が不織布や紙に挟まれて固定されたものである。
【００３６】
吸水シートの大きさは特に限定がないが、塊状体に巻きつけるので、円柱状の塊状体の長さに合わせてカッティングして使用するのが好ましい。
【００３７】
吸水シートにおける吸水性樹脂の使用量は、好ましくは１０〜１２０ｇ／ｍ2、より好ましくは３０〜１００ｇ／ｍ2であり、特に好ましくは４０〜８０ｇ／ｍ2である。使用量が１０ｇ／ｍ2以上であると、管内の水分を十分吸収することができる。１２０ｇ／ｍ2以下であると、性能と経済面のコストパフォーマンスが良好である。
【００３８】
本発明の管楽器用のクリーニング具は、その側面が吸水性能を有する棒状の塊状体である。全体が吸水性能を有する塊状体の場合は、塊状体を棒状に形成すれば作成できる。
側面のみが吸水性能を有する塊状体の場合は、以下のようにして作成できるがこれに限定されない。
たとえば、棒状を円柱状としたとき、２０〜４０ｍｍの長さに準備した円柱状の塊状体に同じ長さかやや長めの幅の吸水シートを準備し、これを円柱の側面に巻きつける。まきつける回数は少なくとも１回であり円柱の側面の全面を覆うのが好ましい。好ましくは２回である。水分が多そうなときは３回以上巻いてもよいが、管内の水分の量に比べて合計吸水能力が大きすぎて不経済になりやすい。
【００３９】
巻くときはゆるく巻いても締め付けるように巻いてもよい。ゆるく巻いても吸水シートの吸水性樹脂が膨潤して空間を埋めることができる。
巻きつける際には吸水シートの端面同士を重なるようにして糊や接着剤で留めるのが好ましい。この場合、吸水シートを巻きつけたときの外径が管楽器の内径以下であるようにする。他の棒状の場合も同様である。
【００４０】
また、必要に応じて吸水シートの外側を不織布で被覆するのが好ましい。吸水シートが多量の水分を吸収したとき吸水性樹脂は膨潤しゲルとなる。このゲルの一部分が吸水シートの表面からはみ出す場合があり、それが管内に付着すると、クリーニング具の管内の移動を抑制したり、演奏時の音質を変えたりする恐れが生じる。このため塊状体の全体を不織布で包むとゲルが吸水シートから微量はみ出たとしてもゲルが不織布の外には出ず、上記のゲルによる不都合がなくなる。また、吸水性樹脂のゲルが発生しなければ不織布で包む必要はない。
【００４１】
このような不織布としては、工業的に使用されている不織布が使用できる。不織布の繊維素材としては、合成繊維（ポリエステル、ポリアミド、アクリル、ポリオレフィン繊維など）、半合成繊維（アセテート、レーヨンなど）、天然繊維（綿、絹、羊毛など）、炭素繊維、およびこれらの混合品（混紡品など）などの繊維素材が適用できる。これらの中でも合成繊維からなる不織布が好ましい。
【００４２】
不織布は乾式法、湿式法のいずれの方法でも、またスパンレース法、サーマルボンド法、スパンボンド法、ニードルパンチ法などいずれの方法で製造されたものでも使用できる。
不織布の目付量は、１０ｇ／ｍ2以上１００ｇ／ｍ2以下が好ましい。１０ｇ／ｍ2以上であると吸水性樹脂のゲルが不織布を通過しにくく、ゲルの漏れを抑制できる。１００ｇ／ｍ2以下であると不織布が柔軟であり、クリーニング具として用いたときに、かさばらず管内を移動しやすい。より好ましくは１５ｇ／ｍ2以上５０ｇ／ｍ2以下であり、特に好ましくは１５ｇ／ｍ2以上３０ｇ／ｍ2以下である。
【００４３】
また、上記素材の短繊維または長繊維を集めて圧縮したフェルトはウェブが豊富であり、本発明の不織布として使用できる。フェルトは織フェルト、プレスフェルト、ニードルパンチフェルトなど、一般にフェルトと称されるものであり、たとえば、「産業用繊維資材ハンドブック」（日本繊維機械学会、３６２頁〜３８１頁）に記載されているものが使用できる。
【００４４】
また、上記の不織布のフラジール法による通気度は０．１ｃｍ３／ｃｍ２・ｓ以上であるのが好ましく、０．３ｃｍ３／ｃｍ２・ｓ以上であるのがより好ましい。また、３０ｃｍ３／ｃｍ２・ｓ以下であるのが好ましく、２０ｃｍ３／ｃｍ２・ｓ以下であるのがより好ましい。０．１ｃｍ３／ｃｍ２・ｓ以上であると、
管楽器の管内の水分が不織布を通して、容易に吸水シートに吸収される。３０ｃｍ３／ｃｍ２・ｓ以下であると、吸水前の吸水性樹脂やゲルが外部に抜け出ることが少ない。
【００４５】
本発明のクリーニング具を、図１、２を用いて説明する。
図１（ａ）は、本発明における塊状体を円柱状としたときの斜視図である。図１（ｂ）は、その円柱の側面を吸水シートで１回覆った塊状体を示す斜視図である。図１（ｃ）は、図１（ｂ）においてＸ−Ｙ軸を含む平面で円柱を垂直に切断したときの塊状体の断面図である。クリーニング具１は、円柱２の側面が吸水シート３で覆われており、円柱２の側面が吸水性能を有していることがわかる。図１（ｄ）は、図１（ｂ）においてＸ’− Ｙ’軸を含む平面で円柱を水平に切断したときの断面図である。クリーニング具１は、円柱２の外周の全側面が吸水シート３で覆われていることがわかる。
【００４６】
図２（ａ）は、本発明のクリーニング具の別の態様を示す斜視図である。
図２（ｂ）は、図２（ａ）においてＸ−Ｙ軸を含む平面でクリーニング具を垂直に切断したときの断面図である。図２（ｃ）は、図２（ａ）においてＸ’− Ｙ’軸を含む平面でクリーニング具を水平に切断したときの断面図である。クリーニング具１の円柱２の外周面が吸水シート３で覆われ、これは糊で接着される。さらにその周囲を不織布４で全体が覆われている。また、不織布４がヒートシール５で接着されていることを示している。
【００４７】
上記の本発明のクリーニング具は、以下のようにして使用される。
基本的には、クリーニング具を管楽器の開口している管口から挿入し、管楽器を傾倒させることによりクリーニング具を管内を移動させ、管内に付着した水分を除去する。
【００４８】
図３を参照して、本実施例に係るクリーニング具による管楽器としてのフルートの管内をクリーニングする方法についてさらに詳しく説明する。
【００４９】
図３（ａ）に示すように、側面が吸水性能を有するクリーニング具１を、フルート６の足部管７の開口している管口８から挿入し、この状態でフルート６自体を頭部管９側が下方になるように傾ける。
これにより、フルート６内のクリーニング具１は、足部管７から管内を移動して、図３（ｂ）に示すように、頭部管９内の反射板の端面１０に到達する。
この結果、吸水性能を有する側面が管内の内周面に付着した奏者の呼気に伴う水滴などの水分を吸水し除去することができる。
【００５０】
また、反射板の端面１０に到達した吸水性能を有する側面の端面にある吸水シートまたは塊状体を覆っている不織布４を通して、反射板の端面１０に付着した奏者の呼気に伴う水滴等の水分を吸水し除去することができる。
【００５１】
このようにして、クリーニング具１はフルート６の管内の水分除去のためのクリーニング作業を、フルート６自体を分解することなく、クリーニング具１を足部管７の管口８から挿入し頭部管９が下になるように傾倒するだけのきわめて簡略な作業・動作で、足部管７、胴部管１１、頭部管９の各内周面の水分除去や反射板の端面９の水分除去を行うことができる。
【００５２】
また、クリーニング終了後においては、図３（ｂ）に示すようにフルート６の足部管７が下になるように傾倒することで、クリーニング具１を足部管７の管口８から取り出すことができる。
【００５３】
取り出したクリーニング具は、そのまま再使用してもよく、水分を吸水しているクリーニングの側面を、たとえばティッシュペーパー、乾燥布などの吸水性を有する部材に当接させて吸水させた後、直ちに再びクリーニング具を何回でも繰り返し利用することができる。
以上、管楽器としてフルートを念頭において記載したが、フルート以外にピッコロ、クラリネット、オーボエ、ファゴットなどの管楽器も対象とすることができる。
【００５４】
以下、実施例にて本発明をさらに詳細に説明するがこれに限定されるものではない。
（実施例１、比較例１）
吸水性樹脂として、平均粒径２００μｍ、吸水量１００ｇ／ｇ、水可溶性成分含量２．０％の架橋されたポリアクリル酸ソーダを準備した。
巾４０ｃｍ、長さ７０ｃｍのティッシュペーパーの上に、上記の吸水性樹脂と繊維状パルプ（重量比で１／２）の合計量を１５０ｇ／ｍ２になるように均一に散布し、その上に同じサイズのティッシュペーパーを置いて、その上からエンボス加工を施し一体化した。これを巾４ｃｍ、長さ３６ｃｍになるようにスリットして吸水シートを作成した。
【００５５】
１３ｍｍ径の円柱状のアクリル樹脂を長さ４ｃｍにカットして、芯棒とした。芯棒の外周面に上記の吸水シートを二重に巻きつけて、余った部分を残してカットして、その端の部分を巻いた吸水シートに糊で接着した。
さらにポリプロピレン製の６ｃｍ×６ｃｍの不織布（目付け３５ｇ／ｍ２）を準備し、半分に折り曲げて、折り曲げた部分の両端を垂直にヒートシールして一方が開いた袋を作成した。作成した袋の中に芯棒の長さ部分が袋の折り曲げた部分に沿うように入れ、開いた部分をヒートシールした後閉じた。その際に不織布は出来るだけ芯棒に密着するようにした。このときの外径は１６ｍｍであった。このようにして本発明のクリーニング具を得た。
【００５６】
（評価１）
これを用いて使用後のフルートをクリーニングできるかどうか確認した。使用後のフルートは中に水分が十分に付着していた。
このフルートの中に上記に作成したクリーニング具を、管楽器の開口している管口から挿入し、前記管楽器を傾倒させることによりクリーニング具を管内を移動させ二度繰り返した後、取り出した。フルートの中の水分が除去されていることを足部管の管口から確認した。
【００５７】
（比較例１）
比較として、長さ４ｃｍのアクリル樹脂製の芯棒（径１３ｍｍ）の両端に同じ径の円形の吸水性フェルトを接着剤で接着したクリーニング具を作成した。
【００５８】
（評価２）
フルートの中に３ｇの生理食塩水を流し、その中に上記の本発明および比較例１のクリーニング具を夫々入れてフルートを傾倒させることにより管内を一度だけ移動させた後管口から取り出して重量を測定した。これを夫々５回繰り返した。５回のクリーニング後のクリーニング具の重量増を測定したところ、平均値は実施例１は２．５ｇ、比較例１は１．０ｇであった。明らかに本発明のクリーニング具は水分をよく吸収しており、クリーニング性が良好であることを確認できた。
【産業上の利用可能性】
【００５９】
本発明のクリーニング具は、フルート、ピッコロなどの管楽器の他、フルートに属する各種楽器の管内クリーニング用として広範に応用可能である。
【符号の説明】
【００６０】
１  クリーニング具
２  円柱
３  吸水シート
４  不織布
５  ヒートシール
６  フルート
７  足部管
８  管口
９  頭部管
１０  反射板の端面
１１  胴部管
【図１】
2019020639.tif 000003
【図２】
2019020639.tif 000004
【図３】
2019020639.tif 000005